(57)【特許請求の範囲】
【請求項１】
ドラム収納凹部５を設けてなる容器本体２と、該本体後部に後部を回動可能に連結して容器本体上面を開閉可能に設けた蓋体３と、上記収納凹部に収納嵌合させるとともに、粉末化粧品を充填させるドラム４とを備えた化粧用コンパクト容器に於いて、上記ドラム４を、皿状のドラム本体13と、該本体外周に嵌着固定させた枠体16と、上記本体及び枠体間に周縁部を挟持固定させるとともに、ドラム本体の上部周縁にヒンジ21を介して下方への弾性変形が可能な水平板部22を延設してなる柔軟で弾力性に富む材質で形成した弾性支持部材14と、該支持部材の内周縁部に外周縁部を固定させてドラム本体上部を被覆するメッシュ15とから構成してなることを特徴とする化粧用コンパクト容器。
【請求項２】
ドラム収納凹部５を設けてなる容器本体２と、該本体後部に後部を回動可能に連結して容器本体上面を開閉可能に設けた蓋体３と、上記収納凹部に収納嵌合させるとともに、粉末化粧品を充填させるドラム４とを備えた化粧用コンパクト容器に於いて、上記ドラム４を、底壁17周縁部より延設した周壁18外周下部に突条19を周設したドラム本体13と、上記突条19上部の周壁18外周から周壁18上面に亘って断面逆Ｌ字状をなす取り付け筒部20を嵌合させるとともに、該筒部内周縁よりヒンジ21を介してドラム本体の上部周縁に下方への弾性変形が可能な水平板部22を延設してなる柔軟で弾力性に富む材質で形成された弾性支持部材14と、該支持部材の内周縁部に外周縁部を固定させてドラム本体上部を被覆するメッシュ15と、上記取り付け筒部上面に圧接させた内向きフランジ27を上記取り付け筒部外側面に圧接させた垂壁28上端縁より延設するとともに、該垂壁内面下部に突設した係合突条29を上記突条19下面に乗り越え係合させて固定してなる枠体16とから構成したことを特徴とする化粧用コンパクト容器。
【請求項３】
上記取り付け筒部内周縁より短筒部30を立設して上記水平板部22及びメッシュ15を上記フランジ27上方へ突出させるとともに、メッシュ上面に圧接して閉塞する押圧板10を蓋体３の裏面より突設してなる請求項２記載の化粧用コンパクト容器。
【発明の詳細な説明】
【０００１】
【発明の属する技術分野】
本発明は化粧用コンパクト容器に関し、詳しくは、粉末化粧品を収納するための化粧用コンパクト容器に関する。
【０００２】
【従来の技術】
化粧用コンパクト容器として粉末化粧品を収納するものがあり、これ等は容器本体に設けた収納凹部に粉末化粧品を充填させるドラムを嵌合させている。またこのドラムは上端開口をメッシュで被覆して化粧品の飛散を防止するとともに、使用時にはメッシュから浮き出た化粧品をパフ表面に付着させることにより化粧品粒子の均一化を図り、更に、一度に多量の化粧品がパフに付着することを防止している。
【０００３】
初期にはこのメッシュを網皿状に形成してドラム内に充填されたパウダーの上面に載置し、更にこの網皿の上にパフを載置しておき、使用時にパフを取り出してメッシュ上面に押し付けて使用していた。しかし網皿は単にパウダーの上に載置されているだけであるため、容器の運搬中の振動等により網皿自体がパウダー中に埋没してしまい、極めて使い難いという不都合が生じていた。
【０００４】
その様な点を考慮して、実開昭57‐161908 号公報或いは実公昭62‐14973号公報に記載された容器が提案されている。
前者は、外周に厚手縁部を有する網目体（メッシュ）を有し、この厚手縁部をドラムと容器本体の間に挟持させた嵌着部と伸縮体を介して結合させ、網目体上方よりパフを押し当てることにより、伸縮体が伸びて網目体が下方へ移動可能に構成したものである。従って、非使用時にはパウダー上方に網目体を位置させておくことができて上記の様な不都合を解消できるものである。
【０００５】
また、後者は、容器本体内に環状の枠体を上下動可能に挿入させ、枠体の周縁部に網皿（メッシュ）を保持するとともに、その周縁下部の複数箇所に下方へ略ハ字状に突出する可撓性突片からなる弾性脚を一体に取り付けたものである。
この容器も同様に上記不都合を解消できるものである。
【０００６】
【発明が解決しようとする課題】
しかしながら、これらの容器にはいまだ種々改良の余地を残している。
例えば、前者に於いては、網目体を押し下げた際にドラム上面に位置する伸縮部分が局部的に伸び、また、網目体の押圧を解除すると伸縮部が縮んで元の状態に戻すため、また、この伸縮部はドラム上端縁の角で直角に曲げられて擦られながら伸ばされるため伸縮部に掛かる負担が大き過ぎて耐久性に劣るという欠点がある。
【０００７】
また、後者は、枠体がハ字状の弾性脚で支持されているため、網皿の押圧により各弾性脚を広げて網皿を押し下げる際に、押圧により掛かる力の方向が各脚の接触面と垂直方向に近い方向へ掛かるため脚が広がり難く、また、ドラムが円形の場合には各脚下端が回動しながら広がらなければならず、いずれにしろ押し下げに円滑さを欠く。
【０００８】
また、網皿の押し下げの際に各弾性脚が絡み合う虞がありこの点に於いても作動の円滑さに欠ける。この場合、各一対の開脚角度を小さいものとすれば絡み合いは防止できるが、反面上記した脚の広がりが極めて行い難くなる。
【０００９】
本発明は上記した従来容器の欠点を解消したもので、従来容器の如くメッシュがパウダー中に埋没するという不都合がなく、しかも、メッシュの押し下げ，復帰操作を円滑に行え、また、耐久性にも優れた容器を提案するものである。
【００１０】
【課題を解決するための手段】
第１の手段として、ドラム収納凹部５を設けてなる容器本体２と、該本体後部に後部を回動可能に連結して容器本体上面を開閉可能に設けた蓋体３と、上記収納凹部に収納嵌合させるとともに、粉末化粧品を充填させるドラム４とを備えた化粧用コンパクト容器に於いて、上記ドラム４を、皿状のドラム本体13と、該本体外周に嵌着固定させた枠体16と、上記本体及び枠体間に周縁部を挟持固定させるとともに、ドラム本体の上部周縁にヒンジ21を介して下方への弾性変形が可能な水平板部22を延設してなる柔軟で弾力性に富む材質で形成した弾性支持部材14と、該支持部材の内周縁部に外周縁部を固定させてドラム本体上部を被覆するメッシュ15とから構成した。
【００１１】
第２の手段として、ドラム収納凹部５を設けてなる容器本体２と、該本体後部に後部を回動可能に連結して容器本体上面を開閉可能に設けた蓋体３と、上記収納凹部に収納嵌合させるとともに、粉末化粧品を充填させるドラム４とを備えた化粧用コンパクト容器に於いて、上記ドラム４を、底壁17周縁部より延設した周壁18外周下部に突条19を周設したドラム本体13と、上記突条19上部の周壁18外周から周壁18上面に亘って断面逆Ｌ字状をなす取り付け筒部20を嵌合させるとともに、該筒部内周縁よりヒンジ21を介してドラム本体の上部周縁に下方への弾性変形が可能な水平板部22を延設してなる柔軟で弾力性に富む材質で形成された弾性支持部材14と、該支持部材の内周縁部に外周縁部を固定させてドラム本体上部を被覆するメッシュ15と、上記取り付け筒部上面に圧接させた内向きフランジ27を上記取り付け筒部外側面に圧接させた垂壁28上端縁より延設するとともに、該垂壁内面下部に突設した係合突条29を上記突条19下面に乗り越え係合させて固定してなる枠体16とから構成した。
【００１２】
第３の手段として、前記第２の手段に於いて、上記取り付け筒部内周縁より短筒部30を立設して上記水平板部22及びメッシュ15を上記フランジ27上方へ突出させるとともに、メッシュ上面に圧接して閉塞する押圧板10を蓋体３の裏面より突設した。
【００１３】
【発明の実施の形態】
以下、本発明の実施例の形態を図面を参照して説明する。
本発明の化粧用コンパクト容器１は、容器本体２と、蓋体３と、ドラム４とを備えている。
【００１４】
容器本体２は、ドラム４を収納させるためのドラム収納凹部５を有しており、図１及び図２に示す容器では、左方に平面視円形のドラム収納凹部５を、右方に平面視四角形のパフ収納凹部６を各々穿設し、それぞれ、ドラム４を嵌着固定させるとともに、パフ７を取り出し可能に収納させている。また、前面中央部に穿設した凹部内に係合突起８を突設するとともに、該凹部内に押し釦９を揺動可能に枢着させている。
【００１５】
また、蓋体３は容器本体後部に後部を回動可能に連結して容器本体上面を開閉可能に設けたもので、その裏面左方にはドラム４の上面を圧接する押圧板10を突設し、裏面右方には鏡11を固定している。また、前部中央下面より垂設させたフック12を閉蓋の際に上記係合突起８と係合可能に構成し、閉塞状態を維持可能に構成するとともに、押し釦９の押し込みによりフック12を押し上げて係合の解除を可能に構成している。
【００１６】
ドラム４は、ドラム本体13と、弾性支持部材14と、メッシュ15と、枠体16とから構成している。
ドラム本体13は、底壁17周縁部より延設した周壁18の外周下部に突条19を周設して構成している。尚、ドラム本体13の底壁17中央部に粉末化粧品充填用の窓孔を穿設しても良く、その場合に窓孔は、例えば化粧品充填後シール材等で閉塞する。
【００１７】
弾性支持部材14は、エラストマー等の柔軟で弾力性に富んだ材質で一体に形成したもので、上記突条19上方のドラム本体周壁18外周から周壁18上面に亘って断面逆Ｌ字状をなす取り付け筒部20を嵌合するとともに、該筒部内周縁よりヒンジ21を介してドラム本体13上部周縁に水平板部22を延設して構成している。
【００１８】
図示例では、取り付け筒部20の垂壁部分内面に一体に周設した突条23を、ドラム本体周壁18外周に周設した凹溝24内に嵌合させて取り付け筒部20の嵌合をより確実に構成している。
【００１９】
メッシュ15は、例えばナイロン繊維を編む等して形成したもので、弾性支持部材14の内周縁部に外周縁部を固定させてドラム本体上面を被覆する如く構成している。
【００２０】
図示例では、メッシュ15周縁部下面に、リング板25を接着等の適宜固着手段により固定し、一方弾性支持部材14の水平板部22内周縁部を、上記リング板及びメッシュの厚さ分だけ下方へ陥没させた嵌合部26を設け、この嵌合部26上面とリング板下面とを凹凸嵌合手段を介して嵌着固定させている。従って、メッシュ15の上面は上記水平板部22上面と略面一に位置させている。尚、この部分の固定をより強固にするために接着剤等を併用すると良い。
【００２１】
枠体16は、弾性支持部材14の上記取り付け筒部20上面に圧接させた内向きフランジ27を、取り付け筒部20外側面に圧接させた垂壁28上端より延設し、該垂壁28内面下部に突設した係合突条29を上記突条19下面に乗り越え係合させて固定している。
【００２２】
尚、上記ドラム本体13及び枠体16は弾性支持部材14と比較して剛性を有し、保形性を有する合成樹脂等により形成する。従って、ドラム４の組み付けの際は、ドラム本体13にメッシュ15付きの弾性支持部材14を嵌合させ、次いで上方から枠体16を押し下げ嵌合させれば簡単に組み付けすることができ、しかも組み付けられた本体及び枠体は、弾性支持部材14の弾力性によりしっかりと確実に固定される。
【００２３】
また、図示例の容器では、取り付け筒部20の内周縁より短筒部30を立設して水平板部22及びメッシュ15を上記内向きフランジ27上方へ突出させる如く構成し、更に、蓋体３を閉じた際に、上記押圧板10の下面がメッシュ15上面に圧接してメッシュ15を閉塞する如く構成している。
【００２４】
上記の如く構成した容器１は、例えば、開蓋後パフ７をメッシュ15上方より押圧すると、収納粉末化粧品の残量に応じて、主としてヒンジ21部分を中心に水平板部22が弾性変形してメッシュ15が下降し、メッシュ15を介してパフ７に化粧品が付着する。また、パフ７の押圧を解除すると、水平板部22の弾性復元力でメッシュ15は元の状態に戻る。尚、短筒部30を設けたものにあっては、短筒部も若干の弾性変形が可能である。
【００２５】
【発明の効果】
以上説明した如く本発明容器は、周縁部をドラム本体及び枠体により挟持固定させるとともに、ドラム本体内の周縁上部にヒンジを介して水平板部を延設してなる弾性支持部材を設けて、この支持部材の内周縁にドラム本体上面を被覆するメッシュの外周縁部を固定させたので、上記ヒンジ部分を中心として水平板部の弾性変形によりメッシュ部分を簡単に押し下げることができ、収納粉末化粧品の量が減少しても最後まで略残らず使用することが出来る。また、従来の局部的に伸縮する部分を有するものと比較して度重なる使用にあっても損傷等の不都合を生じ難く、耐久性に優れたものであるとともに、その押し下げ操作を円滑に行える効果を併せ持つ。
【００２６】
また、弾性支持部材周縁部を構成する取り付け筒部の上面に圧接させた内向きフランジを、取り付け筒部外周に圧接嵌合させた垂壁上端縁より延設し、垂壁内面下部に突設した係合突条を、ドラム周壁外周下部に周設した突条下面に乗り越え係合させて固定した枠体を設けているものにあっては、ドラムの組み付けは極めて容易であり、しかも一旦組み付けたドラムは弾性支持部材の弾力性によりしっかりと密に固定されて外れる等の不都合を生じる虞はない。
【００２７】
また、取り付け筒部内周縁より短筒部を立設して水平筒部及びメッシュを枠体のフランジ上方へ突出させる如く構成するとともに、メッシュ上面に圧接してメッシュを閉塞する押圧板を蓋体裏面より突設したものにあっては、非使用時の持ち運び等の際に容器に振動等が生じても、化粧品がメッシュ上部に漏出する等の不都合を防止できる。
【図面の簡単な説明】
【図１】  本発明の一実施例を示す開蓋状態の斜視図である。
【図２】  同実施例の要部縦断面図である。
【符号の説明】
２…容器本体，３…蓋体，４…ドラム，５…ドラム収納凹部，10…押圧板，
13…ドラム本体，14…弾性支持部材，15…メッシュ，16…枠体，17…底壁，
18…周壁，19…突条，20…取り付け筒部，21…ヒンジ，22…水平板部，
27…内向きフランジ，28…垂壁，29…係合突条，30…短筒部
【図１】
0003751339.tif 000002
【図２】
0003751339.tif 000003